【事件の表示】
　特許第２９５６６４６号「プロジェクタ」の請求項１〜６に係る特許に対する特許異議の申立てについて、次のとおり決定する。
【結　論】
　訂正を認める。
　特許第２９５６６４６号の請求項１ないし５に係る特許を取り消す。
　同請求項６に係る特許を維持する。
【理　由】
（１）手続きの経緯
特許第２９５６６４６号の請求項１〜６に係る発明は、平成２年４月１７日に出願された特願平２−１０１１１８号の一部を平成９年４月１７日に新たに出願したものであって、平成１１年７月２３日に設定登録され、その後、鈴木　俊孝および廣田　修一により特許異議の申し立てがなされ、取消理由通知がなされ、その指定期間内である平成１２年８月２１日に訂正請求がなされたものである。
（２）訂正の適否
ア．訂正事項
ａ．特許請求の範囲の訂正
ａ−１．特許請求の範囲の請求項１を次のように訂正する
「【請求項１】
　光源と、前記光源から出射された光のうち特定の偏光成分の光を吸収する第１の偏光選択素子と、前記第１の偏光選択素子を透過した光を変調するライトバルブと、前記ライトバルブから出射された光のうち特定の偏光成分の光を吸収する第２の偏光選択素子と、前記第２の偏光選択素子を透過した光を投写する投写手段とを備えたプロジェクタであって、
　前記第１の偏光選択素子は前記ライトバルブから離れた位置に設けられ、光透過性の固定板の前記ライトバルブ側の面に貼り付けられてなり、
　前記固定板の前記ライトバルブとは反対側の面には反射防止コートが施され、前記ライトバルブ側の面には反射防止コートが施されていないこと
ａ−２．特許請求の範囲の請求項６を次のように訂正する。
　「【請求項６】
　光源と、前記光源から出射された光を赤・青・緑の色光に分離する色光分離手段と、それぞれの前記色光を変調する３つのライトバルブと、前記３つのライトバルブによってそれぞれ変調された色光を合成する色光合成手段と。前記色光合成手段によって合成された光を投写する投写手段とを備えたプロジェクタであって、それぞれの前記ライトバルブの光入射面側には、特定の偏光成分の光を吸収する偏光選択素子が配置され、前記偏光選択素子は前記ライトバルブから離れた位置に設けられ、光透過性の固定板の前記ライトバルブ側の面に貼り付けられてなり、
　前記赤色光、青色光を変調する前記ライトバルブの光入射面側に配置されている前記固
定板には、前記ライトバルブと反対側の面に反射防止コートが施され、前記ライトバルブ側の面には反射防止コートが施されておらず、緑色光を変調する前記ライトバルブの光
ｂ．発明の詳細な説明の訂正
ｂ−１．発明の詳細な説明の【０００５】の段落中の、「前記固定板の前記ライトバルブとは反対側の面に反射防止コートが施されている」を「前記固定板の前記ライトバルブとは反対側の面には反射防止コートが施され、前記ライトバルブ側の面には反射防止コートが施されていない」と訂正する。
ｂ−２．発明の詳細な説明の【０００６】の段落中の、「前記固定板には、前記ライトバルブと反対側に反射防止コートが施されており、」を「前記固定板には、前記ライトバルブと反対側の面に反射防止コートが施され、前記ライトバルブ側の面には反射防止コートが施されておらず、」と訂正する。
イ．訂正の目的の適否、新規事項の有無及び拡張・変更の存否
　上記訂正に関して、特許権者は、発明の詳細な説明の固定板はライトバルブ側の面には反射防止コートが施されていないものだけが記載されており、前記各請求項の記載では、「前記固定板の前記ライトバルブとは反対側の面には反射防止コートが施されている」という記載のみの解釈によっては、固定板のライトバルブ側の面にも反射防止コートが施されているものをも含むとの解釈が生じるおそれなしとは、必ずしもいえないので、その誤解をさけるために、固定板に施される反射防止コートの構成を明瞭なものとする等と主張している。しかしながら、特許明細書の請求項１，６の反射防止コートに関する記載は、それ自体は、明りょうなものであり、特に不明りょうな記載であるとは認められない。もっとも、結果としては前記訂正事項は、特許請求の範囲の減縮に該当するものである。
　また、上記訂正ｂ．についても、前記特許請求の範囲の請求項１、６の訂正に伴って生じた、対応する発明の詳細な説明の記載との不整合を整合させるための訂正であり、これは明りょうでない記載の釈明に該当するものである。
　よって、上記訂正ｂ．は、明りょうでない記載の釈明を目的とし、また、新規事項の追加に該当せず、実質上特許請求の範囲を拡張し、又は変更するものではない。
ウ．むすび　
　以上のとおりであるから、上記訂正は、特許法等の一部を改正する法律（平成６年法律第１１６号）附則第６条第１項の規定によりなお従前の例によるとされる、特許法第１２０条の４第２項及び第３項で準用する平成６年改正法による改正前の特許法第１２６条第２項及び第３項の規定に適合するので、当該訂正を認める。
（３）特許異議の申立てについての判断
（本件発明）
　本件請求項１ないし６に係る発明は、訂正明細書及び図面の記載からみて、それぞれ、特許請求の範囲の請求項１ないし６に記載された事項によって特定されるとおりのものと認める。
「【請求項１】
　光源と、前記光源から出射された光のうち特定の偏光成分の光を吸収する第１の偏光選択素子と、前記第１の偏光選択素子を透過した光を変調するライトバルブと、前記ライトバルブから出射された光のうち特定の偏光成分の光を吸収する第２の偏光選択素子と、前記第２の偏光選択素子を透過した光を投写する投写手段とを備えたプロジェクタであって、
　前記第１の偏光選択素子は前記ライトバルブから離れた位置に設けられ、光透過性の固定板の前記ライトバルブ側の面に貼り付けられてなり、
　前記固定板の前記ライトバルブとは反対側の面には反射防止コートが施され
、前記ライトバルブ側の面には反射防止コートが施されていないことを特徴とするプ
　【請求項２】
　請求項１において、前記第１の偏光選択素子は高耐熱性の偏光板であり、前記第２の偏光選択素子は高コントラスト用の偏光板であることを特徴とするプロジェクタ。
　【請求項３】
　請求項１または２において、前記固定板に貼り付けられた前記第１の偏光選択素子、前記ライトバルブ、前記第２の偏光選択素子は上下のライトガイド内に収納され、前記下ライトガイドの下方には前記第１の偏光選択素子、前記ライトバルブ、前記第２の偏光選択素子を冷却するファンが設けられ、前記下ライトガイドには、前記ファンからの冷却風を通す通風口が設けられていることを特徴とするプロジェクタ。
【請求項４】
　請求項３において、前記通風口は前記固定板および前記液晶ライトバルブの両面側に設けられていることを特徴とするプロジェクタ。
　【請求項５】
　請求項３において、前記上ライトガイドには、前記ファンからの冷却風を通す通風口が設けられていることを特徴とするプロジェクタ。
　【請求項６】
　光源と、前記光源から出射された光を赤・青・緑の色光に分離する色光分離手段と、それぞれの前記色光を変調する３つのライトバルブと、前記３つのライトバルブによってそれぞれ変調された色光を合成する色光合成手段と、前記色光合成手段によって合成された光を投写する投写手段とを備えたプロジェクタであって、それぞれの前記ライトバルブの光入射面側には、特定の偏光成分の光を吸収する偏光選択素子が配置され、前記偏光選択素子は前記ライトバルブから離れた位置に設けられ、光透過性の固定板の前記ライトバルブ側の面に貼り付けられてなり、前記赤色光、青色光を変調する前記ライトバルブの光入射面側に配置されている前記固定板には、前記ライトバルブと反対側の面に反射防止コートが施さ
れ、前記ライトバルブ側の面には反射防止コートが施されおらず、緑色光を変調する前記ライトバルブの光入射面側に配置されている前記固定板には反射防止コートが施されていな
　なお、請求項２に特定している「光耐熱性」という記載は、光、と、耐熱性、の接続関係が不明であり、全体として用語としての意味が不明であり、また、発明の詳細な説明の【００４０】等の記載からみて、明らかに「高耐熱性」の誤記であると認められるので、本願の請求項２に係る発明は、上記のように認定した。
（取消理由通知の概要）
 本件請求項１ないし６に係る発明は刊行物１ないし１０に基いて当業者が容易に発明をすることができたものであるから、本件請求項１〜６に係る特許は、特許法第２９条第２項の規定に違反するものであり、同法第１１３条第１項第２号に該当する。
（刊行物に記載の発明）
　刊行物１（特開平１−１５８４８０）には、「以下に本発明の実施例を図面に基づいて説明する。第１図は、本発明の１実施例を表わす基本構成図を平面的に示したものである。光源１を出射した光は、光導波管２内で赤、緑、青の３原色に分光されて導かれ、第１の偏光板３Ｒ，３Ｇ，３Ｂによってそれぞれ偏光を受ける。第１の偏光板３Ｒ，３Ｇ，３Ｂは、確実な固定及び偏光板の熱変形を防止するために、両面に無反射コートを施したガラス板４Ｒ，４Ｇ，４Ｂにそれぞれ取付けられ、ガラス板４Ｒ，４Ｇ，４Ｂを光導波管２に取付けることによって固定される。第１の偏光板３Ｒ，３Ｇ，３Ｂによって偏光を受けた光は、液晶ライトバルブ５Ｒ，５Ｇ，５Ｂによってそれぞれの色に対応した光変調を受け、第２の偏光板７Ｒ，７Ｇ，７Ｂによってそれぞれ偏光を受けた後、プリズム８によって合成される。液晶ライトバルブ５Ｒ，５Ｇ，５Ｂは、確実な固定及び位置調整のために、中央部に窓を有するガイド板６Ｒ，６Ｇ，６Ｂにそれぞれ取付けられ、プリズム８と相対的な位置に保持される。プリズム８によって合成された光は、投写レンズ９によって拡大投写され、前方のスクリーン上に画像が投写される。」（第２頁右上欄第１２行−同左下欄第１５行）との記載があり、当該記載及び、図１、図２の記載からみて、「上記第１の偏光板は液晶ライトバルブと離間して配置されている」ものと認められる。
　また、刊行物２（実願昭６２−１２８７３０号（実開昭６４−３４６１７号）のマイクロフイルム）には、「第１図は本考案に係る投写式液晶表示装置の基本構成を示すもので、光源１は本実施例ではハロゲンランプを用いている。光源１の後方（図面左方）にはコールドミラー２が設けてある。光源１の前方（図面右方）には光源１からの直接光およびコールドミラー２によって反射された反射光を光軸１ａに対して実質的な平行光線とする光学系が設けてあり、この光学系は本実施例では単一のコンデンサレンズ３によって構成されている。４は熱線吸収フィルタであり、熱線成分を吸収しかつ可視光成分を透過するものである。５はツイストネマティク型の液晶パネルであって、駆動回路（図示せず。）を介して供給される画像信号に基づいて該平行光線を変調するように構成されている。なお６は出光側偏光板であり、液晶パネル５の出光側の面に貼着されている。
　液晶パネル５と熱線吸収フィルタ４との間には透明支持体７に貼着された入光側偏光板８が設けてある。偏光板８は液晶パネル５に対して所定の間隔をおいて離間して配設してある。偏光板８および液晶パネル５の下方には偏光板８および液晶パネル５を冷却する冷却用ファン９が設けてある。
　さらに本実施例では、偏光板８を液晶パネル５に対して所定の角度をもって傾斜させて、偏光板８の下端部と液晶パネル５との間隔が偏光板８の上端部と液晶パネル５との間隔よりも広くなるように構成し、偏光板８の冷却効率を高めている。
　なお１０は光源１および光学系３を冷却する冷却ファンである。１１は液晶パネル５によって変調された変調光を絞る凸レンズであり、投写レンズ１２とともに投写レンズ系１３を構成している。１４は投写光が投影される投影面（スクリーン）である。」（第４頁第１７行−第６頁第９行）との記載があり、
刊行物３（特開平１−２８９９１２号公報）には、「第２図は、本発明の実施例における光学系ユニットの外観側面図であり、図中の光線Ａ−Ａによる縦断面図を第３図に示す。第３図において、説明は赤色用液晶ライトバルブ３Ｒ及びその周辺構造についてのみ行うが、構造的には緑色用液晶ライトバルブ３Ｇ、青色用液晶ライトバルブ３Ｂの周辺構造についても全く同様である。液晶ライトバルブ３Ｒは、ネジによって液晶ライトバルブプレート１１Ｒに締結され、液晶ライトバルブプレート１１Ｒをネジによってガイド板６Ｒに締結し、ガイド板６Ｒをネジによってアッププレート１４に締結することにより保持される。液晶ライトバルブ３Ｒは、画像表示のためにその前後に偏光板１２Ｒ及び１３Ｒを配する必要があり、本例においては液晶ライトバルブ３Ｒに対して光の入射側の偏光板１２Ｒをガイド板６Ｒのプリズム４側の面に貼り付け、液晶ライトバルブ３Ｒに対して光の出射側の偏光板１３Ｒをプリズム４に貼り付ける。ガイド板６Ｒは中央部に光の入射用の窓１５Ｒを有し、その下部に導風構造１０Ｒを有する。一方、基台８は、冷却ファン７を包含するのみならず、アッププレート１４との間でプリズムを保持し、アッププレート１４で保持されている液晶ライトバルブ３Ｒ及びその周辺構造を保持する。基台８は又は、その上部の導風構造１０Ｒとの相対位置に通風孔９Ｒを有し、冷却ファン７によって生じた風をその通風孔９Ｒに収束させる。通風孔９Ｒに収束した風は真上に吹き上げる風と冷却ファン７の回転中心から外へ逃げようとする風とに別れ、前者は液晶ライトバルブ３Ｒと出射側偏光板１３Ｒとの間及び液晶ライトバルブ３Ｒと入射側偏光板１２Ｒとの間を通り偏光板１２Ｒ、１３Ｒの表面の熱を奪ってアッププレート１４に設けられた穴より上部に吹き抜ける。後者はガイド板６Ｒに設けられた導風構造１０Ｒによってその方向を偏光板１２Ｒ方向に変えられ、ガイド板６Ｒの中央の光の入射用窓１５Ｒを通って偏光板１２Ｒ表面の熱を奪い、偏光板１２Ｒによって方向が変えられて外部へ吹き抜ける。これらの風の流れを模式的に表わすと第４図のようになる。光の入射側偏光板１２Ｒはその偏光作用のために光の熱を約６０％吸収し表面温度が特に上昇するが、上記のようにその表面と裏面を効率的に冷却することによって偏光特性を損なうことを防止できる。昨今、軽薄短小にして高出射光束の表示装置の要求が強まるにつれて、小型の冷却ファンによって効率よく液晶ライトバルブに係る偏光板を冷却する本例は益々有効となる。」（第２頁左下欄第１９行−第３頁右上欄第６行）との記載があり、
刊行物４（特開平６３−１１６１２３号公報）には、「しかし、前述の従来技術では、完全な平光光線の投写光源の実現が困難で、光源からの距離が大きくなるについて減衰が大きくなる。前例では緑色光に比べ赤色光、青色光の光源から液晶ライトバルブまでの距離が大きいため、加えて反射ミラーにより、赤色光及び青色光の減衰が大きく、緑色光をＮＤフイルター等により減衰させ、色バランスをとらなくてはならず、結果的に暗い画像表示となる。」（第１頁右下欄第１１行−第１９行）及び「以上述べたように、本発明によれば、青色光の光の強さにより、カラー表示画像の明るさが決められるため、絶対量が少なく、透過等による減衰の最も多い青色光の光路長を短くすることにより、青色光の表示の明るさを増大することが可能で、全体としてカラー表示画像を明るい表示とすることが可能であるといった効果を有する。」（第３頁左下欄第第６行−第１２行）との記載があり、
刊行物５（久保田　広　外２名編、「光学技術ハンドブック　増補版」第９刷」、昭和６１年２月１０日、株式会社　朝倉書店発行、ｐ６６７−６６９）には、「光学系において、空気からガラスといった屈折率が大きく変化する面に光が入射する際の反射による光量損失等を防止するために、該ガラスの表面に反射防止膜を施すようにすること」との旨の記載があり、
刊行物６（特開昭６２−１５９１２０号公報）には、「実装基板６０は、回路基板で、液晶パネルの下基板６１と同一の厚み分だけ切削した凹部に下基板を案内し、上基板６２とほぼ同一のサイズの偏光板６３により、液晶パネルを構成している。冷却パネルは液晶パネルに密着させるようにコネクタ６４により、冷却パネルの下基板６５に偏光板を密着させる。冷却パネルの上基板６６は、光源光の入射側の面である為、表面には、無反射コーティングをほどこして入射効率を高める。」（第２頁右下欄第２０行−第３頁左上欄第８行）との記載があり、
刊行物７（「実願昭５６−１０９１７号（実開昭５６−１７２８０２号）のマイクロフイルム）には、「即ち従来からの弗化マグネシウムの単層反射防止膜の残留反射率である１％前後の反射といえども問題になってきているということである。これと同様に例えば第１図に示す様に空気と接する外表面に多層高性能反射防止膜５を施した２個のプリズム１および２を接着剤により接着して接合プリズムを形成する場合、従来はプリズムと接着剤との境界面で起る光の反射を消すような特別な処理は行われていなかった。」（第１頁第１６行−第２頁第８行）との記載があり、
刊行物８（特開昭６２−１０９０２４号公報）には、「（１）光源とスクリーンとの間に介装された液晶パネルが液晶本体の前後に偏光層を備えている液晶パネルの組合せ構造において、偏光層と液晶本体とを相互に熱伝達されない距離に充分に離隔したことを特徴とする画像投影用の液晶パネル組合せ構造。
（２）光源とスクリーンとの間に介装された液晶パネルが液晶本体の前後に偏光層を有し、更に色フィルタを備えている液晶パネルの組合せ構造において、偏光層と液晶本体とを相互に熱伝達されない距離に充分に離隔し、更に色フィルタをも光源側で液晶本体に熱伝達しない距離を置いて充分に離隔していることを特徴とする画像投影用の液晶パネル組合せ構造。」（第１頁左下欄第５行−第１８行）との記載があり、
刊行物９（特表昭６３−５０３４０８号公報）には、「実際の平面スクリーン及び分光シートのための支持板に紫外線フィルターを、これらが紫外線から保護されるように固着することも有利となる。相当な量のエネルギーを放出する紫外線が化学的及びその他の有害な過程を加速することがさけられる。反射防止膜又はシートを分光フィルター、板及び平面スクリーンの表面に取付けて光の反射従って光の損失を減少させることも有利となる。」（第３頁左上欄第１９行−第２５行）及び「第１図に示した平面スクリーンは、オーバーヘッドプロジェクター（図示しない）のガラス製インサート２２を備え水平上部シート２０上に配置されている。平面スクリーンは、扁平な、基本的に立方体のハウジングを備えており、その右側壁２４と左側壁２６と頂部壁２８及び底部壁３０が図示されている。矩形のガラス板３２，３４は、頂部壁２８と底部壁３０との表面に配設されている。分光フィルター３６，３８が各々取付けられた両方のガラス板３２，３４は、ハウジングを開放することなく、外部から迅速に取付けたり取外したりすることができる。これは下方のガラス板３４について第１及び３図に示されている。ガラス板３４は、フレームを形成するＬ字形フランジ４０によって、ハウジング中に落下しないように支持されている。やはりＬ字状のフレーム形の弾性部材４２は、柔軟な床材を形成している。ガラス板３４は、円筒状の支持体４４にリンクされた板４６によってフランジ４０に押付けられている。全部で４個の支持体４４が考えられている。ハウジングにはねじ４８が例えば接着剤によって固着してあり、ねじ４８のねじ部は、関係する支持体４４の雌ねじと噛合うように突出している。４つの支持体４４のねじ止めを解除すると、ガラス板３４を関係する偏光フィルター３８と共に取出すことができる。」（第３頁左下欄第１８行−同右下欄第１４行）との記載があり、
刊行物１０（特開平１−３０２３８７号公報）には、「第１０図は光学ヘッドユニット１７の具体的構成を示す分解斜視図である。上下および前後の板５９・６０・６１・６２を組み合わせて構成される左右が開いた箱形枠の中央にタイクロイックプリズム５３を、前後・左右および上下にそれぞれ作用する３個のばね６３（図は１個のみ表示）によって位置決め支持している。上記箱形枠の前板６１の前面の開口６１Ａに合わせてレンズ１８を取付け、箱形枠の左右の開口部および背板６２の後に、青色変調液晶ライトバルブ５４、赤色変調液晶ライトバルブ５６および緑色変調液晶ライトバルブ５５が、それぞればね６４を介して上下・左右・前後の光軸調整可能に取付けられている。各液晶ライトバルブ５４・５５・５６は、前後一対の支持板６５・６６の間に絶縁シート６７・偏光板（不図示）等と共に挟持されており、液晶ライトバルブと前後の板の間には若干の隙間を置いている。さらに外側となる各支持板６５の下辺に外方に開いたはかま形の整流部６５Ａが設けられており、第１１図の拡大縦断面図に示すように、光学ヘッドユニット１７の下方に置かれたファン２１がケース１内に吸込んだ外気を逃がすことなく各液晶ライトバルブ５４・５５・５６に誘導して冷却効果を上げている。すなわち液晶ライトバルブを支持している板部材自身に冷却風の整流機能を持たせている。」（第５頁右下欄第第１５行−第６頁右上欄第１行）との記載がある。
（対比・判断）
［請求項１に係る発明について]
　訂正明細書の請求項１に係る発明と刊行物１に記載された発明とを対比すると、刊行物１の「第１の偏光板３Ｒ，３Ｇ，３Ｂ」、「液晶ライトバルブ５Ｒ，５Ｇ，５Ｂ」、「第２の偏光板７Ｒ，７Ｇ，７Ｂ」、「投写レンズ９」、「ガラス板４Ｒ，４Ｇ，４Ｂ」、「無反射コート」、「表示装置」は、本件請求項１に係る発明の、「第１の偏光選択素子」、「ライトバルブ」、「第２の偏光選択素子」、「投写手段」、「固定板」、「反射防止コート」、「プロジェクタ」に、それぞれ相当するから、両者は、
　「光源と、前記光源から出射された光のうち特定の偏光成分の光を吸収する第１の偏光選択素子と、前記第１の偏光選択素子を透過した光を変調するライトバルブと、前記ライトバルブから出射された光のうち特定の偏光成分の光を吸収する第２の偏光選択素子と、前記第２の偏光選択素子を透過した光を投写する投写手段とを備えたプロジェクタであって、前記第１の偏光選択素子は前記ライトバルブから離れた位置に設けられ、光透過性の固定板の前記ライトバルブ側の面に貼り付けられてなり、前記固定板には、反射防止コートが施されたことを特徴とするプロジェクタ。」
　で、一致し、
　本件請求項１に係る発明は、「固定板の前記ライトバルブとは反対側の面には反射防止コートが施され、
前記ライトバルブ側の面には反射防止コートが施されていない
　しかしながら、刊行物５ないし刊行物７に記載されているように、基体の表面での光の反射を低減するために、基体の表面に反射防止膜を設ける技術は周知・慣用技術であり、また、その採用も当業者が反射防止の求める性能などに応じて取捨選択することであるので、特に適当な面に反射防止コートを設けないようにすることも当業者が適宜なしうることである。
　この点に関して特許権者は、刊行物５ないし刊行物７について反射防止コートを両面に設ける技術のみが記載されていて、片面に設ける点は記載されていないし、示唆もされていない点を主張しているが、例えば、刊行物５に記載された事項も基体表面に単数あるいは複数の層を適当な層厚と屈折率を設定すると反射防止作用が発揮されているという一般的な技術が記載されているものであり、これは、特に、基体の片面、あるいは両面に用いることを限定するものではない。
　したがって、基体の両面に、反射防止膜を施したものに限定した技術であるという、出願人の主張は採用することができない。
　よって、刊行物１および従来周知技術に基づいて本件請求項１に係る発明を推考することは、当業者が容易に為しえたものと認められる。
[請求項２に係る発明について]
　訂正明細書の請求項２に係る発明は、請求項１に係る発明において、第１の偏光選択素子は高耐熱性の偏光板であり、第２の偏光選択素子は高コントラスト用であると限定するものであるが、液晶プロジェクタのように、液晶ライトバルブに光源からの光を照射して、投写手段を用いてスクリーン等に投写する装置において、光源に起因する熱による液晶プロジェクタを構成する偏光板等の部品の、熱による影響が問題となることは、刊行物１などにも記載されているように従来からよく知られているものであり、耐熱性を要求する箇所には、部品の中で、より耐熱性能のものを用いることは当業者なら当然に行う事項である。
　したがって、光源により近い位置に設けられている、第１の偏光選択素子として高耐熱性の偏光板を用いることは、当業者が適宜なしうる設計的な事項にすぎない。
　また、表示装置として、高コントラストのものを得ようすることは当然の技術的課題であり、それを実現するために、単に、高コントラストに好適な性能を持つ偏光板を用いるのは当業者が適宜なしうる設計的な事項にすぎない。
　よって、刊行物１および従来周知技術に基づいて本件請求項２に係る発明を推考することは、当業者が容易に為しえたものと認められる。
[請求項３に係る発明について]
  訂正明細書の請求項３に係る発明は、請求項１または２に係る発明において、前記固定板に貼り付けられた前記第１の偏光選択素子、前記ライトライブ、前記第２の偏光選択素子は上下のライトバルブ内に収納され、前記下ライトバルブの下方には前記第１の偏光選択素子、前記ライトバルブ、前記第２の偏光選択素子を冷却するファンが設けられ、前記下ライトガイドには、前記ファンからの冷却風の通す通風口が設けられていると限定するものであるが、刊行物３に記載の表示装置には、冷却ファン７を収納する基台８が設けられ、これが本件請求項３に係る発明の下ライトガイドに相当する部材であると認められる。
　また、基台８とアッププレート１４とガイド板６Ｒ、６Ｇ、６Ｂとで囲まれた空間内には、入射側偏光板１２Ｒ、１２Ｂ、液晶ライトバルブ３Ｒ、３Ｇ、３Ｂと出射側偏光板１３Ｒ、１３Ｂが存在しており、基台８、アッププレート１４とガイド板６Ｒ、６Ｇ、６Ｂからなる構造体は、本件請求項３に係る発明の上ライトガイドに相当する部材であると認められる。
　さらに、刊行物３の基台８には、通風孔９Ｒ、９Ｂが設けられ、これは本件請求項３に係る発明の下ライトバルブに設けられた通風口に相当するものである。
　なお、この点に関して、特許権者は、刊行物３に記載のものは、アッププレート１４と基台８はプリズム４を保持するものであり、請求項３に係る発明の上下のライトガイドに相当するものではないと主張しているが、アッププレート１４と基台８とガイド板６Ｒ、６Ｇ、６Ｂで囲われた空間内に、入射側偏光板１２Ｒ、１２Ｂ、液晶ライトバルブ３Ｒ、３Ｇ、３Ｂ、出射側偏光板１３Ｒ、１３Ｂを配置された状態にあるので、空間配置として、刊行物３に記載の、アッププレート１４と基台８とガイド板６Ｒ、６Ｇ、６Ｂからなる構造と、請求項３に係る発明の上ライトガイドとの間で、構造上、機能上差異があるものではないから、当該主張は採用することができない。
　よって、刊行物１、刊行物３および従来周知技術に基づいて本件請求項３に係る発明を推考することは、当業者が容易に為しえたものと認められる。
[請求項４に係る発明について]
　訂正明細書の請求項４に係る発明は、請求項３に係る発明において、前記通風口は前記固定板及び前記液晶ライトバルブ側の両面側に設けられていると限定するものであるが、刊行物３には、通風孔９Ｒ，９Ｂの間に液晶ライトバルブ３Ｒ、３Ｇ、３Ｂが配置され、冷却風が液晶ライトバルブ３Ｒ、３Ｇ、３Ｂの両側に案内される構造となっており、また、導風構造１０Ｒを設け、ガイド板６Ｒ、６Ｇ、６Ｂの液晶ライトバルブ３Ｒ、３Ｇ、３Ｂ側と反対面に冷却風が案内される構造となっており、本件請求項４に係る発明の通風口と、刊行物３に記載のものとで機能上実質的な相違があるとはいえない。
　よって、刊行物１、刊行物３および従来周知技術に基づいて本件請求項４に係る発明を推考することは、当業者が容易に為しえたものと認められる。　
[請求項５に係る発明について]
　訂正明細書の請求項５に係る発明は、請求項３に係る発明において、前記上ライトガイドには、前記ファンからの冷却風からの冷却風を通す通風口が設けられていると限定するものであるが、刊行物３には、アッププレート１４に通風孔９Ｒ，９Ｂが設けられている技術内容が記載されている。　よって、刊行物１、刊行物３および従来周知技術に基づいて本件請求項５に係る発明を推考することは、当業者が容易に為しえたものと認められる。
[請求項６に係る発明について]
　訂正明細書の請求項６に係る発明と刊行物１に記載された発明とを対比すると、刊行物１の、「第１の偏光板３Ｒ，３Ｇ，３Ｂ」、「液晶ライトバルブ５Ｒ，５Ｇ，５Ｂ」、「投写レンズ８」、「ガラス板４Ｒ，４Ｇ，４Ｂ」、「無反射コート」、「表示装置」は、本件請求項６に係る発明の、「偏光選択素子」、「ライトバルブ」、「投写手段」、「固定板」、「反射防止コート」、「プロジェクタ」に、それぞれ相当するから、両者は、「光源と、前記光源から出射された光を赤・青・緑の色光に分離する色光分離手段と、それぞれの前記色光を変調する３つのライトバルブと、前記３つのライトバルブによってそれぞれ変調された色光を合成する色光合成手段と、前記色光合成手段によって合成された光を投写する投写手段とを備えたプロジェクタであって、それぞれの前記ライトバルブの光入射面側には、特定の偏光成分の光を吸収する偏光選択素子が配置され、前記偏光選択素子は前記ライトバルブから離れた位置に設けられ、光透過性の固定板の前記ライトバルブ側の面に貼り付けられてなり、前記赤色光、青色光を変調する前記ライトバルブの光入射面側に配置されている前記固定板には、前記ライトバルブと反対側の面に反射防止コートが施されたことを特徴とするプロジェクタ。」　で一致し、
　本件請求項６に係る発明では、赤色光、青色光を変調する前記ライトバルブの光入射面側に配置されている前
記固定板のライトバルブ側の面には反射防止コートが施されておらず、緑色光を変調する前記ライトバルブの光入射面側に配置されている前記固定板には反射防止コートが施されていない、ものであるのに対して、刊行物１では、赤色光、青色光の固定板のライトバルブ側の面にも反射防止コートが施されており、また、緑色光を変調するライトバルブの光入射面側に配置されている固定板の、ライト
　上記相違点について検討すると、刊行物４には緑色光を光量を減らすことにより、あるいは、青色光の減衰を小さくすることにより色バランスを調整することができることについて開示されているが、具体的な手段は開示されていない。
　本件請求項６に係る発明は、通常色光を有効利用するために、固定板のライトバルブ側と反対側の面に反射防止コートを施す際に、緑色のみを光量を減らす目的で設けないようにする手段を採用し、この手段を採用することにより、赤色光、青色光の色光を有効利用しつつ、緑色光を他の色光を相対的に光量を減らし、色バランスを調整することができ、構成も簡単であるという作用・効果を奏するものであるから、当業者といえども容易に推考し得たものとは言えない。
　なお、特許異議申立人　鈴木　俊孝は、特許異議申立書の中で、青色光等よりも緑色光の光量損失を大きくして各色光の光量を均衡させるようにすることが記載されており、前記刊行物４に記載された常套手段を施しただけのものであると主張しているが、刊行物４には、本願請求項６において特定している具体的な手段によってそのようなことを実現することは記載が無いから、当該主張は採用することができない。
（４）むすび
　以上のとおりであるから、本件請求項１ないし５に係る発明は刊行物１ないし１０に記載された発明に基づいて当業者が容易に発明をすることができたものである。
　したがって、本件請求項１ないし５に係る特許は、特許法第２９条第２項の規定に違反してされたものであり、本件の請求項１ないし請求項５に係る発明についての特許は、拒絶の査定をしなければならない特許出願に対してなされたものである。
　また、本件請求項６に係る特許については、他に取消理由を発見しない。
　よって、特許法等の一部を改正する法律（平成６年法律第１１６号）附則第１４条の規定に基づく、特許法等の一部を改正する法律の一部の施行に伴う経過措置を定める政令（平成７年政令第２０５号）第４条第１項及び第２項の規定により、上記の結論のとおり決定する。
【異議決定日】
平成１３年１月５日（２００１．１．５）
【訂正の要旨】
訂正の要旨
　特許請求の範囲の減縮を目的として、下記（１）、（２）のように特許請求の範囲を訂正する。また、特許請求の範囲の訂正に応じて、発明の詳細な説明についても、下記（３）、（４）のように訂正する。
（１）特許請求の範囲の請求項１を次のように訂正する
「【請求項１】
　光源と、前記光源から出射された光のうち特定の偏光成分の光を吸収する第１の偏光選択素子と、前記第１の偏光選択素子を透過した光を変調するライトバルブと、前記ライトバルブから出射された光のうち特定の偏光成分の光を吸収する第２の偏光選択素子と、前記第２の偏光選択素子を透過した光を投写する投写手段とを備えたプロジェクタであって、
　前記第１の偏光選択素子は前記ライトバルブから離れた位置に設けられ、光透過性の固定板の前記ライトバルブ側の面に貼り付けられてなり、
　前記固定板の前記ライトバルブとは反対側の面には反射防止コートが施され、前記ライトバルブ側の面には反射防止コートが施されていないことを特徴とするプロジェクタ。」
（２）特許請求の範囲の請求項６を次のように訂正する。
「【請求項６】
　光源と、前記光源から出射された光を赤・青・緑の色光に分離する色光分離手段と、それぞれの前記色光を変調する３つのライトバルブと、前記３つのライトバルブによってそれぞれ変調された色光を合成する色光合成手段と。前記色光合成手段によって合成された光を投写する投写手段とを備えたプロジェクタであって、それぞれの前記ライトバルブの光入射面側には、特定の偏光成分の光を吸収する偏光選択素子が配置され、前記偏光選択素子は前記ライトバルブから離れた位置に設けられ、光透過性の固定板の前記ライトバルブ側の面に貼り付けられてなり、
　前記赤色光、青色光を変調する前記ライトバルブの光入射面側に配置されている前記固定板には、前記ライトバルブと反対側の面に反射防止コートが施され、前記ライトバルブ側の面には反射防止コートが施されておらず、緑色光を変調する前記ライトバルブの光入射面側に配置されている前記固定板には反射防止コートが施されていないことを特徴とするプロジェクタ。」
（３）発明の詳細な説明の【０００５】の段落中の、「前記固定板の前記ライトバルブとは反対側の面に反射防止コートが施されている」を「前記固定板の前記ライトバルブとは反対側の面には反射防止コートが施され、前記ライトバルブ側の面には反射防止コートが施されていない」と訂正する。
（４）発明の詳細な説明の【０００６】の段落中の、「前記固定板には、前記ライトバルブと反対側に反射防止コートが施されており、」を「前記固定板には、前記ライトバルブと反対側の面に反射防止コートが施され、前記ライトバルブ側の面には反射防止コートが施されておらず、」と訂正する。
（５４）【発明の名称】
プロジェクタ
（５７）【特許請求の範囲】
　　【請求項１】　光源と、前記光源から出射された光のうち特定の偏光成分の光を吸収する第１の偏光選択素子と、前記第１の偏光選択素子を透過した光を変調するライトバルブと、前記ライトバルブから出射された光のうち特定の偏光成分の光を吸収する第２の偏光選択素子と、前記第２の偏光選択素子を透過した光を投写する投写手段とを備えたプロジェクタであって、
　前記第１の偏光選択素子は前記ライトバルブから離れた位置に設けられ、光透過性の固定板の前記ライトバルブ側の面に貼り付けられてなり、
　前記固定板の前記ライトバルブとは反対側の面には反射防止コートが施され、前記ライトバルブ側の面には反射防止コートが施されていないことを特徴とするプロジェクタ。
　　【請求項２】　請求項１において、前記第１の偏光選択素子は光耐熱性の偏光板であり、前記第２の偏光選択素子は高コントラスト用の偏光板であることを特徴とするプロジェクタ。
　　【請求項３】　請求項１または２において、前記固定板に貼り付けられた前記第１の偏光選択素子、前記ライトバルブ、前記第２の偏光選択素子は上下のライトガイド内に収納され、前記下ライトガイドの下方には前記第１の偏光選択素子、前記ライトバルブ、前記第２の偏光選択素子を冷却するファンが設けられ、前記下ライトガイドには、前記ファンからの冷却風を通す通風口が設けられていることを特徴とするプロジェクタ。
　　【請求項４】　請求項３において、前記通風口は前記固定板および前記液晶ライトバルブの両面側に設けられていることを特徴とするプロジェクタ。
　　【請求項５】　請求項３において、前記上ライトガイドには、前記ファンからの冷却風を通す通風口が設けられていることを特徴とするプロジェクタ。
　　【請求項６】　光源と、前記光源から出射された光を赤・青・緑の色光に分離する色光分離手段と、それぞれの前記色光を変調する３つのライトバルブと、前記３つのライトバルブによってそれぞれ変調された色光を合成する色光合成手段と、前記色光合成手段によって合成された光を投写する投写手段とを備えたプロジェクタであって、それぞれの前記ライトバルブの光入射面側には、特定の偏光成分の光を吸収する偏光選択素子が配置され、前記偏光選択素子は前記ライトバルブから離れた位置に設けられ、光透過性の固定板の前記ライトバルブ側の面に貼り付けられてなり、
　前記赤色光、青色光を変調する前記ライトバルブの光入射面側に配置されている前記固定板には、前記ライトバルブと反対側の面に反射防止コートが施され、前記ライトバルブ側の面には反射防止コートが施されておらず、
　緑色光を変調する前記ライトバルブの光入射面側に配置されている前記固定板には反射防止コートが施されていないことを特徴とするプロジェクタ。
【発明の詳細な説明】
　　　【０００１】
　　【発明の属する技術分野】
　本発明は、プロジェクタの光学的構造に関する。
　　　【０００２】
　　【従来の技術】
　従来の液晶プロジェクタは、特開昭６３−２４７７２０の様に、光源と、三原色分光用の第一のダイクロイックミラー群、画像形成素子、第二のダイクロイックミラー群、および投写レンズより構成されていた。また、前記光源と第一のダイクロイックミラー群との間にコールドミラーを挿入し、光源より発する光線のうち、可視光だけを第一のダイクロイックミラー群へ入射するように構成された液晶プロジェクタも市販されている。
　　　【０００３】
　　【発明が解決しようとする課題】
　しかし、前述の従来技術では、液晶ライトバルブや、液晶ライトバルブと光源の間に配置された偏光板の温度上昇が十分に抑えられないという問題点を有する。この原因は、液晶プロジェクタの光源として、従来使用されていたハロゲンランプに代わってメタルハライドランプが使われだしたことにある。従来のハロゲンランプは、タングステンの高温発光を利用したランプなので、赤外線が多量に出射され、この赤外線を吸収した偏光板や液晶ライトバルブに温度上昇が生じていた。したがってコールドミラーを使って可視光のみ利用するという従来の考え方は、ハロゲンランプを使う際には、たいへん効果的であった。しかし、メタルハライドランプでは、アーク中における金属元素の発光を利用しているので、赤外線などは弱く、可視光がたいへん強い。この強い可視光線が、偏光板や、液晶ライトバルブに吸収されることで、温度上昇が生じる。この温度上昇は、偏光板や液晶ライトバルブの劣化を招くことがある。
　　　【０００４】
　そこで本発明は、このような問題点を解決するもので、その目的とするところは、偏光板やライトバルブの温度上昇や、偏光板、ライトバルブの劣化を防ぐとともに、画質の高いプロジェクタを提供することにある。
　　　【０００５】
　　【課題を解決するための手段】
　本発明は、光源と、前記光源から出射された光のうち特定の偏光成分の光を吸収する第１の偏光選択素子と、前記第１の偏光選択素子を透過した光を変調するライトバルブと、前記ライトバルブから出射された光のうち特定の偏光成分の光を吸収する第２の偏光選択素子と、前記第２の偏光選択素子を透過した光を投写する投写手段とを備えたプロジェクタであって、前記第１の偏光選択素子は前記ライトバルブから離れた位置に設けられ、光透過性の固定板の前記ライトバルブ側の面に貼り付けられてなり、前記固定板の前記ライトバルブとは反対側の面には反射防止コートが施され、前記ライトバルブ側の面には反射防止コートが施されていないことを特徴とする。
　　　【０００６】
　また、本発明は、光源と、前記光源から出射された光を赤・青・緑の色光に分離する色光分離手段と、それぞれの前記色光を変調する３つのライトバルブと、前記３つのライトバルブによってそれぞれ変調された色光を合成する色光合成手段と、前記色光合成手段によって合成された光を投写する投写手段とを備えたプロジェクタであって、それぞれの前記ライトバルブの光入射面側には、特定の偏光成分の光を吸収する偏光選択素子が配置され、前記偏光選択素子は前記ライトバルブから離れた位置に設けられ、光透過性の固定板の前記ライトバルブ側の面に貼り付けられてなり、前記赤色光、青色光を変調する前記ライトバルブの光入射面側に配置されている前記固定板には、前記ライトバルブと反対側の面に反射防止コートが施され、前記ライトバルブ側の面には反射防止コートが施されておらず、緑色光を変調する前記ライトバルブの光入射面側に配置されている前記固定板には反射防止コートが施されていないことを特徴とする。
　　　【０００７】
　　【発明の実施の形態】
　図１は本発明の実施形態を示す平面図である。１は光源であるメタルハライドランプ、２は反射板、３はガラス板、４はガラス板ケース、５は放熱フイン、６は熱線カットフィルタ、７は緑色光反射ダイクロイックミラー、８はミラー固定板、９、１０は集光レンズ、１１はミラー、１２は赤色光反射ダイクロイックミラー、１３はミラー固定板、１４、１８、２２は偏光板固定ガラス、１５、１９、２３は偏光板、１６、２０、２４は液晶ライトバルブ、１７、２１、２５は下ライトガイド３１に設けられた穴、２６は赤色光反射ダイクロイックミラー、２７はミラー固定板、２８はミラー、２９は黄色光反射ダイクロイックミラー、３０はミラー固定板、３１は下ライトガイド、３２は投写レンズである。また、４１、４２、４３は偏光板、４９はファンである。
　　　【０００８】
　また、本発明の実施形態を示す斜視図を図２に示す。３３はファン、３４は上ライトガイド、３５はフォーカス調整ネジ、３６は左右方向調整ネジ、３７は上下方向調整ネジ、３８はフォーカス調整ネジである。
　　　【０００９】
　本実施形態のプロジェクタの構造は次の通りである。光源であるメタルハライドランプ１は反射板２に固定されており、メタルハライドランプ１の出射光線の大部分は、反射板２の開口側前面に反射される。このうち、赤外線反射コートを施した熱線カットフィルタ６で赤外線は反射され、可視光のみが透過し、出射される。なお、この赤外線反射コートは、紫外線に対しても、大部分を反射することが確認されている。
　　　【００１０】
　熱線カットフィルタ６とメタルハライドランプ１との間には、ガラス板ケース４内に固定されたガラス板３を設置している。このガラス板３は、屈折率をｎとすると、光線に対して、９０°−ＡＴＮ（１／ｎ）の傾きを持たせることで、光線とガラス３の法線を含む面に垂直な面の偏光成分を反射する。ガラス板１枚で、約１５％の偏光成分を反射するので、数枚重ねて用いればかなりの偏光成分を反射することができる。
　　　【００１１】
　このように、所定の偏光成分を除去する目的は、偏光板１５、１９、２３の温度上昇を抑えることにある。通常、液晶プロジェクタは、だ円偏光の光から偏光板１５、１９、２３によって直線偏光を得た後、液晶ライトバルブ１６、２０、２４でこれをせん光させ、再び偏光板４１、４２、４３で直線偏光成分のみを取り出すしくみになっている。液晶ライトバルブ１６、２０、２４において、せん光する角度の大小を電気信号で制御することにより、偏光板４１、４２、４３を通過する光量が変わる。このように、液晶プロジェクタでは１種類の偏光光しか利用せず、これと直交する偏光成分は、最初の偏光板１５、１９、２３で吸収され熱となる。これによる偏光板１５、１９、２３の温度上昇は、１５０Ｗのメタルハライドランプ１では１００℃にも達し、偏光板を焼くほどになる。したがって、ガラス板３を使い、入射光線をそのブリュースター角とすることで不要な偏光成分の光を除去し、偏光板１５、１９、２３を熱から守る。
　　　【００１２】
　ここで、ガラス板３の配置方法としては、図３に示すように、一板のガラス板が光路の全範囲をおおう方法が従来より提案されてきた。４４は光源であるメタルハライドランプ、４５は反射板、４６はガラス板である。この例では、ガラス板４６の長さが大きいために、メタルハライドランプ４４と、液晶ライトバルブとの距離が長くなり、液晶ライトバルブに光が集められずに明るさが低下するという問題点があった。また、装置全体の大きさも大きくなってしまうという問題点があった。
　　　【００１３】
　そこで、本例の示すプロジェクタでは、ガラス板３をＶ字形に配置することで、メタルハライドランプ１と液晶ライトバルブ１６、２０、２４との距離を短くし、集光を容易にした。
　　　【００１４】
　図４は、光源からダイクロイックミラー群手前までの構成の一例である。４４はメタルハライドランプ、４５は反射板、４７はガラス板、６は熱線カットフィルタである。ガラス板４７は、入射光線に対しブリュースター角度だけ傾いている。この例において、光量の最も多い中心部でガラス板４７の枚数を多くし、光量の少ない周辺部においては、ガラス板４７をなくしたり、少なくしたりしても良い。そうすれば、周辺での光量低下を防ぐとともに、最も熱の集まる中央部で、不要な偏光成分を大量に除去できるという効果がある。
　　　【００１５】
　図５は、光源からダイクロイックミラー群手前までの他の構成例である。４８はガラス板である。この図に示した例では、ガラス板４８をさらに分割してある。したがって、光源であるメタルハライドランプ４４と液晶ライトバルブとの距離がたいへん短くなり、液晶ライトバルブヘの集光が容易となり、明るい投写画像を得ることが可能となる。また、機器の小型化により、可搬性が向上することで、用途が広がり、コストダウンも可能となる。
　　　【００１６】
　この例においても、中央部に近い部分ほどガラス板４８の枚数を多くし、周辺部においてはガラス板の枚数を少なくするようにすることができる。そのように構成すれば、防熱が最も必要な中央部の温度上昇が抑えられる上、周辺部の光量低下を抑えることができるというメリットがある。
　　　【００１７】
　なお、図１、図４、図５に示した例において、ガラス板としてクラウンガラスなどの光字ガラスを用いれば、透過率、耐熱性など性能的に問題がない。しかし、これらの図に示されたように、熱線フィルタ６をメタルハライドランプ１、４４とガラス板３、４７、４８との間に入れるとガラス板の温度上昇が抑えられる。したがって、耐熱性のさほど高くないソーダガラス、白板ガラスも、これらのガラス板３、４７、４８の材料として使用できる。ソーダガラス、白板ガラスなどは、材料費が光学ガラスに比べたいへん安いので、大きなコストダウンとなる。
　　　【００１８】
　図１に示した例では、ファン４９をメタルハライドランプ１、熱線カットフィルタ６、ガラス板３に平行して配置してある。これは、発熱源であるメタルハライドランプ１と、断熱材である熱線カットフィルタ６、およびガラス板３を１つのファン４９で効率良く冷却することを目的とするものである。これにより、ダイクロイックミラー群に光線が入る前に大半の発熱成分は除去できる。さらに、その熱をファン４９によって装置外に排出できる。したがって、液晶ライトバルブ１６、２０、２４や偏光板１５、１９、２３の温度上昇を抑えることができ、これらの光学要素の性能および信頼性を向上させることが可能となる。
　　　【００１９】
　図６に、光源からダイクロイックミラー群手前までのさらに他の構成例を示す。６は熱線カットフィルタ、５０はガラス板５１はファンである。本実施例は、熱線カットフィルタ６がガラス板５０に対して、メタルハライドランプ４４と反対側に設置してある。したがって、光源から発した光線は、ガラス板５０で一方の直線偏光成分が除去された後、熱線カットフィルタ６に達するので、温度上昇が少なくなる。
　　　【００２０】
　熱線カットフィルタ６は、通常、光学ガラスに誘電体薄膜をマルチコートしてつくられている。この薄膜は高熱を浴びるとはがれてしまう可能性があるため、図１に示した例のようにファン４９による冷却が必要となる。また、ガラス基材自身も、４００℃以上の耐熱性を必要とする高級なものとしなければならない。
　　　【００２１】
　しかしながら、図６に示した例では、熱線カットフィルタ６の温度上昇が少ないことから、誘電体薄膜の熱によるはがれを低減することが可能となる。また、ガラス基材の耐熱性もかなり下げられるので、基材が安くなり、コストダウンが可能となる。一方、ガラス板５０も光線に対し約６０℃の角度があることから、一部分が特に高温になることがなく、耐熱性の低いガラスを用いることが可能となる。ガラス板５０は、直線偏光成分の反射率が１枚につき約１５％なので、枚数が多いほど効果が大きい。一方、コストは枚数に比例して高くなる。したがって、耐熱性の低いコストの低いガラスが使用できるのは、大きなメリットがある。
　　　【００２２】
　また、本実施形態では、ガラス板３、５０が、光源方向を頂点とするＶ字形に配置されている。このように配置されたガラス板３、５０は、光束を中央方向に屈折させることから集光の役目も果たしている。反射板２、４５が、液晶ライトバルブ１６、２０、２４に比べ大きい場合には、この集光効果が画面を明るくする上で、大切となる。
　　　【００２３】
　また、このように配置すれば、ガラス板３、５０によって反射された光も外側へ向かうので、放熱の効果も大きい。特に、図６に示す例では、反射板４５の前面を熱線カットフィルタ６がふさぐことがなく、Ｖ字形のガラス板５０があるだけなので、メタルハライドランプ４４の周辺の空気の流通性が良い。したがって、ファン５１によるランプの冷却効果も大きく、ランプ寿命を延ばすことが可能となる。
　　　【００２４】
　さらに、本実施形態では、ガラス板３をガラス板ケース４内に設置している。ガラス板ケース４は、ガラス板３を固定する他、ガラス板３からの反射光を受け止め、熱に変えて放出する働きをする。ガラス板ケース４の材質としては、放熱性の良い黒色アルミニウムなどの黒体化金属とする。このガラス板ケース４を下ライトガイド３１上にのせ、固定する。さらに、ガラス板ケース４外壁のうち、ガラス板３からの反射光が当たる部分にフィン５を付けてある。これは、ガラス板ケース４からの放熱を大きくすることが目的である。また、ガラス板ケース４を用いることで、熱が上下のライトガイド３１、３４に直接伝わらないようにしてある。この場合、ガラス板ケース４と下ライトガイド３１との間に、断熱のスペーサを配置すれば、より熱の遮断は完全となる。
　　　【００２５】
　なお、ガラス板３をガラス板ケース４内に設置せず、直接下ライトガイド３１に固定するようにしても良い。この場合、には、ダイクロイックミラー群との光軸合わせが容易になるというメリットがある。
　　　【００２６】
　次に、本実施形態のプロジェクタにおける、ダイクロイックミラー群について説明する。ここで、ダイクロイックミラー群とは、緑色光反射ダイクロイックミラー７から黄色光反射ダイクロイックミラー２９に至るダイクロイックミラー、集光レンズ、偏光板、液晶ライトガイドによって構成される部分である。これらのダイクロイックミラー群は、図２に示すように、上ライトガイド３４と下ライトガイド３１に固定されている。さらに、このダイクロイックミラー群の冷却のために、下ライトガイド３１の下方にファン３３が設けられている。
　　　【００２７】
　メタルハライドランプ１から出射された光は、緑色光反射ダイクロイックミラー７、赤色光反射ダイクロイックミラー１２により緑、赤、青の三色光に分離され、液晶ライトバルブ１６、２０、２４に入射する。一方、液晶プロジェクタに入力されたビデオ信号は、緑、赤、青ごとの信号に分解され、液晶駆動信号に変換された後、各液晶ライトバルブ１６、２０、２４に入力される。これらによって、液晶ライトバルブ１６、２０、２４では、それぞれ緑、赤、青の投写用の原画が構成される。これらの原画は、赤色光反射ダイクロイックミラー２６、黄色光反射ダイクロイックミラー２９によって合成され、投写レンズ３２を介して投写される。以上が主なダイクロイックミラー群の作用である。
　　　【００２８】
　上記構成のダイクロイックミラー群において、液晶ライトバルブ１６を緑色光を変調するライトバルブ、同２４を青色光を変調するライトバルブとすることで、液晶ライトバルブの歩留まりを上げ、コストダウンを達成することができる。この点について説明する。
　　　【００２９】
　液晶ライトバルブ１６、２０、２４の関係については、液晶ライトバルブ１６、２４は同一構成のもので良く、同２０はそれらとミラー反転の構成でなければならない。一方、液晶ライトバルブは、数万以上のトランジスタによって駆動されている微細画素の集まりである。したがって、駆動できない画素（欠陥）ができやすい。液晶プロジェクタとしては、この欠陥ができるだけ目立たないようにする必要がある。その方法として、緑色光を変調するライトバルブについては欠陥の少ないものを使用し、青色光を変調するライトバルブについては欠陥を許容する方法が考えられる。なぜなら、人の目は緑色に対する感度がたいへん高く、青色に対する感度は比較的低いからである。したがって、液晶ライトバルブを製造した時、欠陥の多いものを青色光を変調する液晶ライトバルブ２４とし、欠陥の少ない物を緑色光を変調する液晶ライトバルブ１６とすれば、欠陥が原因で使用できない液晶ライトバルブの数はかなり少なくなる。したがって、液晶ライトバルブの歩留まりが実質的に向上することになり、コストダウンが可能となる。液晶ライトバルブの価格を決めている要因のうち、歩留まりが無視できないことを考えれば、この効果はたいへん大きい。
　　　【００３０】
　また、液晶ライトバルブ２４の位置に青色光を導くことは、偏光板２３、および液晶ライトバルブ２４の冷却という点でも効果的である。なぜなら、青色光は波長が短いためエネルギーが大きく、偏光板による光吸収による温度上昇が最も大きいからである。
　　　【００３１】
　ここで、各液晶ライトバルブ１６、２０、２４において発生した熱の冷却を促すために、下ライトガイド３１の下方にはファン３３が設置されている。しかし、３枚の液晶ライトバルブがクランク状に配置されているため、小型のファン３３のみで３枚の液晶ライトバルブを同時に、効率良く冷却することはむずかしい。すなわち、ファン３３の外周付近に配置される液晶ライトバルブ１６、２４、および偏光板１５、２３の冷却は効率的に行われる一方、中央付近に配置された液晶ライトバルブ２０、および偏光板１９の冷却は、あまり効率的に行われない。
　　　【００３２】
　したがって、液晶ライトバルブ２４を青色光変調用とすることは、冷却効率という点で好ましく、偏光板２３、および液晶ライトバルブ２４の性能、信頼性を大きく高めることとなる。
　　　【００３３】
　なお、メタルハライドランプ１では、一般に、発光成分のうち緑色光の成分がかなり多いため、液晶ライトバルブ１６も高温になりやすいが、本例では、緑色光を変調する液晶ライトバルブ１６もファン３３の外周部に配置することによって、冷却効果を高めている。
　　　【００３４】
　次に図１のダイクロイックミラー群における偏光板の構成について記す。
　　　【００３５】
　一般に、図７に示すように、反射平面に対し、その法線と光の進行方向を含む平面に平行な偏光成分をＰ成分、垂直な偏光成分をＳ成分という。そして、図８に示すように、緑色光反射ダイクロイックミラー７、赤色光反射ダイクロイックミラー１２、赤色光反射ダイクロイックミラー２６、黄色光反射ダイクロイックミラー２９の特性は、一般に、Ｓ偏光とＰ偏光とで異なる。図１に示す例では、液晶ライトバルブ１６、２０、２４の前後の偏光板１５，４１、１９，４２、２３，４３の吸収軸の方向によって２通りの光学系が可能である。
　　　【００３６】
　まず第１に、前後の偏光板の吸収軸方向が概平行な場合について述べる。この場合、偏光板１５、１９、２３の前のダイクロイックミラーと、偏光板４１、４２、４３後のダイクロイックミラーで、偏光方向は同じとなる。黄色光反射ダイクロイックミラー２９の特性がＰ偏光よりＳ偏光の方がすぐれているため、Ｓ偏光を用いる。つまり、図８に示すように、黄色光反射ダイクロイックミラー２９は、長波長帯での反射率が悪いため、Ｐ偏光成分が使えない。したがって、すべてのダイクロイックミラーで、図８の点線で示すＳ偏光を用いる。この際、Ｐ偏光分の一部はガラス板３で反射され、除去される。
　　　【００３７】
　しかし、残りは偏光板１５、１９、２３に吸収されて熱となる。特に、青色光の光路に配置される偏光板２３におけるＰ偏光成分の吸収は大きくなり、温度上昇も大きい。したがって、この場合は偏光板２３の材質を高耐熱性のものにしたり、ファン３３からの風量を大きくして冷却力を大きくする必要がある。
　　　【００３８】
　次に、液晶ライトバルブの前後の偏光板の吸収軸が概直交している場合の光学系構成例について記す。この場合も、前述した吸収軸が概平行の場合と同様の理由で、光の合成としての赤色光反射ダイクロイックミラー２６、およひ黄色光反射ダイクロイックミラー２９では、Ｓ偏光を用いる。液晶ライトバルブの前後の偏光板で、吸収軸が概直交しているため、メタルハライドランプ１からの光を分離する過程では、Ｐ偏光を用いる。この場合の緑色光反射ダイクロイックミラー７、および赤色光反射ダイクロイックミラー１２の特性は、図８の実線に示すＰ偏光特性となる。したがって、Ｓ偏光成分が偏光板１５、１９、２３で熱となる。Ｓ偏光成分のうち、一部はガラス板３で反射され除去される。しかし、緑色光、および青色光の光路に配置される偏光板１５、２３には、多くのＳ偏光が照射され、高温となる。特に青色光の光路に配置される偏光板２３では、エネルギーの高い青色光が吸収されるので、温度上昇が大きい。したがって、冷却用のファン３３からの風量が大きくなるように、下ライトガイド３１に大きな穴２５をあける必要がある。また、青色光の光路に配置する偏光板を高耐熱用偏光板としても良い。一般に偏光板は、青色光の偏光率が悪いが、高耐熱用偏光板は一般の偏光板に比べ青色光の偏光率が高い。したがって、青色光の偏光度を高めることができ、高いコントラストが得られるという効果もある。
　　　【００３９】
　なお、本例では、偏光板１５、１９、２３には光が直接当たり温度も上がるので、これらを偏光板固定ガラス１４、１８、２２に貼ることで変形を防止している。この際、偏光板固定ガラス１４、１８、２２の光源側には、反射防止用の薄膜コートをしてある。偏光板が貼りつけられる反対側の面には反射防止用の薄膜コートを施していない。なぜなら、空気からガラスといった屈折率の大きく変わる場合にのみ、表面での反射が生じるからである。すなわち、偏光板固定ガラス１４、１８、２２と偏光板とは粘着層である樹脂によって貼り合わされており、屈折率の変化か小さいので、反射防止用のコートが必要ないのである。また、液晶ライトバルブから投写レンズ３２側にある偏光板４１、４２、４３は、温度上昇が比較的少ないので、偏光板固定ガラスには貼り付けてはいない。
　　　【００４０】
　なお、偏光板の温度上昇対策として、光源側の偏光板１５、１９、２３には高耐熱性の偏光板を用い、投写レンズ３２側の偏光板４１、４２、４３には一般の高コントラスト用の偏光板を用いるようにしても良い。
　　　【００４１】
　また、緑色光の光路に配置された偏光板固定ガラス１４にのみ反射防止用のコートを施さず、他の偏光板固定ガラス１８、２２にのみ反射防止用のコートを施せば、緑色光の量を他の色光の光量に比べて落とすことができる。このような構成をメタルハライドランプ１のように緑色光の成分が多い光源に採用すると、投写画像の色のバランスを調整することができる。
　　　【００４２】
　また、偏光板１５、１９、２３、および液晶ライトバルブ１６、２０、２４の前後に、上下ライトガイド３１、３４に穴１７、２１、２５、３９、４０を設け、ファン３３からの風を偏光板、および液晶ライトバルブ両面に流している。このような構成により、偏光板１５、１９、２３、４１、４２、４３および液晶ライトバルブ１６、２０、２４の温度上昇を低減し、熱による劣化を防止することができる。
　　　【００４３】
　次に、図１に示す例における各ダイクロイックミラーについて説明する。
　　　【００４４】
　緑色光反射ダイクロイックミラー７は、メタルハライドランプ１からの出射光のうち、緑色光のみを反射する。赤色光反射ダイクロイックミラー１２は、赤色光のみを反射する。また、ミラー１１、２８は全波長城に渡る反射ミラーである。赤色光反射ダイクロイックミラー２６は黄色光〜赤色光を反射するミラーである。ダイクロイックミラー２６が黄色光〜赤色光を反射するようにすることにより、この赤色光反射ダイクロイックミラー２６に入射される緑色光、および赤色光が、赤色光反射ダイクロイックミラー２６の傾き変化、バラツキによって変色するのを防止できる。
　　　【００４５】
　黄色光反射ダイクロイックミラー２９は、青色光のみ透過し、緑色光、赤色光を反射する特性を有している。これは、次の理由による。緑色光反射ダイクロイックミラー７、および赤色光反射ダイクロイックミラー１２によって、メタルハライドランプ１からの白色光から緑色光および赤色光が除かれる。したがって、液晶ライトバルブ２４からは、青から緑および橙色の光が出射される。これらのうち、橙色光は青色光には不要の光である。なぜなら、橙色光が混ざると青色光の純度が低下し、汚れた色光になるからである。したがって、黄色光反射ダイクロイックミラー２４で、青色光のみを透過させるようにする。
　　　【００４６】
　黄色光反射ダイクロイックミラー２６を透過した青色光は、黄色光反射ダイクロイックミラー２９で反射された緑色光、および赤色光とともに、投写レンズ３２に入射される。
　　　【００４７】
　ここで、合成系のダイクロイックミラー群に関しては、スクリーン投影像のボケが最小になるよう構成してある。つまり、液晶ライトバルブ１６の像は、赤色光反射ダイクロイックミラー２６を通過し、黄色光反射ダイクロイックミラー２９で反射し、投写レンズ３２よりスクリーンに投影されている。この際、赤色光反射ダイクロイックミラー２６を通過することで、非点収差が生じ、像の解像度が低下する場合かある。また、黄色光反射ダイクロイックミラー２９で反射される際、ミラーの面精度不足により、収差を生じる場合がある。このように、光線がミラーを通過したり、反射したりすることによる収差の発生は、他の液晶ライトバルブについても同様である。これらの収差をなくすためには、ミラーの厚みを薄くすることと、ミラーの反射面の面精度を出すことが必要とされる。しかし、両者は、相反することである。つまりミラーの面精度を高めるためには、ミラーの厚みを厚くする必要があるが、このことは、ミラー透過による非点収差を大きくする結果となる。
　　　【００４８】
　図１に示す例では、この矛盾を解決するために、次のような構成としている。すなわち、ミラー面精度が特に問題となるのは投写レンズ３２手前のダイクロイックミラー２９であるから、ダイクロイックミラー２９は、厚く、面精度の高いものとする。一方、ダイクロイックミラー２９を通過する光は青色光とした。青色は比視感度が最も低く、他色に比べて、多少ボケていても、さほど問題とはならないからである。そして、ミラー２８については透過する光がないため、厚みを十分とって高い平面度を与えるようにした。また、赤色光反射ダイクロイックミラー２６は、投写レンズ３２よりやや遠くにあるので、平面の面精度は、ダイクロイックミラー２９よりも低くても、収差の量が少ない。したがって、ダイクロイックミラー２６を薄くし、面精度を落とすとともに、液晶ライトバルブ１６の像の、ダイクロイックミラー２６通過によるボケを最小限としている。これによって、比視感度の高い緑色光、および、赤色光変調用の液晶ライトバルブ１６、２０の収差をおさえ、全体の画質の解像度を上げている。
　　　【００４９】
　以上のように、投写レンズ３２に最も近いダイクロイックミラー２９を、厚く、面精度の高い物とし、他のダイクロイックミラー２６については、薄い物とし、かつ、比視感度の大きな緑色については、厚いダイクロイックミラーを通過させない構成とする、このことで、解像度の高い液晶ビデオプロジェクタが得られる。解像度を落とさない手段としては、液晶ライトバルブ２０を緑色変調用とし、ダイクロイックミラー２６、２９を厚く、面精度の良いものとする方法もあるが、前述したように、緑色変調用のライトバルブに要求される欠陥の少なさを考えると、本例のように、液晶ライトバルブ１６を緑色変調用とすることは、実質的に歩留まりを向上させることが可能となる点で大きな効果がある。
　　　【００５０】
　図９に、図１に示した実施例の光分離系の、ミラー固定構造の斜視図を示す。光分離系とは、緑色光反射ダイクロイックミラー７、および、赤色光反射ダイクロイックミラー１２を指す。５２はミラー固定板、５３は位置決め用ダボ、５４はライトガイドに固定するためのネジ穴、５５はダイクロイックミラー、５６、５７はミラー押さえ板である。また５８は入射光線、５９は反射光線、６０は透過光線である。ダイクロイックミラー５５は、ミラー固定板５２に、ミラー押さえ板５６、５７で圧接固定されている。その方向は、入射光線５８の反対側に、固定されている。これによりミラー固定板５２の窓部が見切りとなり、反射光５９と透過光６０が、開口部周辺で等しい光の分布となる。すなわち、反射光５９と透過光６０を再び合成した時、光の分布が同じことから、画面周辺が色づくことがなくなる。
　　【００５１】
　図１０に図１に示した例の光合成系のミラー固定構造の斜視図を示す。光合成系とは、赤色光反射ダイクロイックミラー２６と黄色光反射ダイクロイックミラー２９を指す。６１はミラー固定板、６２は位置決め用ダボ、６３はライトガイドに固定するためのネジ穴、６４はダイクロイックミラー、６５、６６はミラー押さえ板、６７はネジ穴、６８は入射光Ａ、６９は入射光Ｂ、７０は透過光、７１は反射光である。ダイクロイックミラー６４は、ミラー押さえ板６５、６６によってミラー固定板６１に圧接固定されている。なお、ダイクロイックミラー６４とミラー固定板６１と間に、両面テープを挟むと、ダイクロイックミラー６４が、衝撃でおれることがなくなる。
　　　【００５２】
　本実施例では、入射光６８、６９のそれぞれの見切りがミラー固定板６１の窓部となっている。したがって、開口部である窓部周辺での光の分布が入射光Ａの透過光７０と、入射光Ｂの反射光７１とで同じになる。このことは、画面周辺部において、色づきがなくなることを意味している。以上、図１０、および図１１のように、ダイクロイックミラー後の光の開口が、透過光、および反射光ともにミラー固定板５２、６１の開口部によって決まる方向に、ダイクロイックミラー５５、６４とミラー固定板５２、６１を設定すれば、画面の周辺部での三原色混合割合不良による色づきがなくなるという効果がある。
　　　【００５３】
　次に、図１に示す例におけるの集光レンズ９、１０について説明する。これらの集光レンズは、メタルハライドランプ１から発し、反射板１で反射した光を液晶ライトバルブ１６、２０、２４へ集光する働きをする。本実施例では、集光レンズ９、１０を１番目の分離用ミラーである緑色光反射ダイクロイックミラー７と、２番目のミラーであるミラー１１、および赤色光反射ダイクロイックミラー１２との間に、それぞれ入れたので、集光レンズ９、１０のためのスペースを特に設ける必要がない。つまり、集光レンズ９、１０を本実施例の位置に入れることは、小型化となる利点がある。
　　　【００５４】
　また、集光上からも、この位置にレンズを挿入することで、最も明るくなる。なぜならば、メタルハライドランプ１は、たいへん温度が高くなるので、その対策として反射板２はかなり大きなものとなる。反射板２をガラスでつくると、口径が約８０ｍｍと大きくなる。一方、偏光板、および、液晶ライトバルブは、熱に対して弱い。この対策として、不要な偏光成分を予め除くためのガラス板３が必要となる。したがって、光源であるメタルハライドランプ１および反射板２と液晶ライトバルブ１６、２０、２４との距離は、かなり長いものとなる。一般に、反射板２は、光の集光性を高めるために、パラボラの反射面としている。また、光源であるメタルハライドランプ１の発光部をそのパラボラの焦点より、弱若手前に出すことで、集光径は小さくできる。しかし、光源と液晶ライトバルブの距離が長いこと、反射板２の口径に対し、液晶ライトバルブの開口が小さいこと、メタルハライドランプ１の発光部が点でなく、数ミリの線であることなどから、液晶ライトバルブ１６、２０、２４に有効に集光することは、集光レンズ９、１０なしでは、不可能である。この集光レンズ９、１０の意味は、次のとおりである。まず、反射板２の焦点より少し手前にメタルハライドランプの発光部を置くことにより、集光レンズ９、１０の開口部程度に光が絞られる。これを、さらに集光レンズ９、１０で、液晶ライトバルブ１６、２０、２４の開口部の大きさまで絞り込む。これによる効果は、集光レンズなしの場合に比べ、約１．５倍以上の明るさである。
　　　【００５５】
　なお、本実施例の構成では、反射板２をパラボラ形状とし、そのｆ値をｆ＝９ｍｍから１２ｍｍ、口径を６５ｍｍから８５ｍｍ、パラボラの焦点とメタルハライドランプ１の中心を２ｍｍから４．５ｍｍ開口側に出すよう設定してある。また、集光レンズ９、１０は、焦点距離１００ｍｍから２５０ｍｍの間に設定すれば良い。
　　　【００５６】
　図１１に上記構成の際の光源、パラボラ焦点の距離と明るさの関係を示す。光源が、パラボラ焦点に近い時は、周辺の明るさは出るが、全体の明るさが不十分である。また、光源が、パラボラ焦点よりかなり前に出ると、周辺部、全体の明るさともに低下する。以上が、図１に示す例におけるの集光レンズ９、１０に関する説明である。
　　　【００５７】
　次に、図１に示す例における偏光板１５、１９、２３、液晶ライトバルブ１６、２０、２４、偏光板４１、４２、４３の取り付け、調整について説明する。
　　　【００５８】
　前述したように、偏光板１５、１９、２３は光線に直接当たるため、かなりの高温となる。そのため、ファン３３がライトガイド下３１下方にあり、冷風を、下ライトガイド３１の穴１７、２１、２５を通して、偏光板の両面に送り込んでいる。そして、図２に示すように、穴３９、４０を通して抜いている。しかし、ファン３３の故障停止などで、偏光板１５、１９、２３は急激に熱くなる場合も十分考慮する必要がある。偏光板は一般に薄い樹脂なので、変形しやすい。したがって、その保護のために、偏光板固定ガラス１４、１８、２２に貼りつけてある。液晶ライトバルブ１６、２０、２４に関しても、両面空気冷却構造をとっている。
　　　【００５９】
　さて、液晶ライトバルブ１６、２０、２４には、投写レンズ３２に対して一定の距離となるように調整するフォーカス調整、また、３枚の液晶ライトバルブの各画素を投写レンズ３２で投写した際、１つに合うようにする画素合わせ調整の２つの調整が必要となる。このうち、フォーカス調整は３つの液晶ライトバルブ１６、２０、２４のそれぞれについて必要であり、画素合わせ調整は１枚の液晶ライトバルブに対して、他の２枚の液晶ライトバルブを合わせれば良い。これらの調整機構を図２を用いて説明する。液晶ライトバルブ２０と投写レンズ３２との距離は、フォーカス調整ネジ３５によって調整可能となっている。また、液晶ライトバルブ１６と投写レンズ３２との距離は、フォーカス調整ネジ３８によって調整可能となっている。さらに、液晶ライトバルブ１６は、液晶ライトバルブ２０に対して各画素を一致させるために、左右方向調整ネジ３６、および上下方向調整ネジ３７によって、それぞれ左右、上下方向に移動可能となっている。さらにまた、液晶ライトバルブ２４についても、液晶ライトバルブ１６と同様、液晶ライトバルブ２０に対して各画素を一致させることが可能となっている。
　　　【００６０】
　なお、液晶ライトバルブ２０と１６は、赤色光反射ダイクロイックミラー２６によって互いにミラー対称の関係にあるので、液晶ライトバルブ２０に対する液晶ライトバルブ１６のずれ量は小さい。したがって液晶ライトバルブ１６の調整量を液晶ライトバルブ２４に比べて小さく設定しても良い。また、液晶ライトバルブ２０と２４は、黄色光反射ミラー２９に対してミラー対称なので、黄色光反射ミラー２９の取りつけ角度によって、両者の画素ずれ量が大きく変化する。したがって、液晶ライトバルブ２４の調整量を大きく設定しても良い。また、黄色光反射ダイクロイックミラー２９の取りつけ角度を調整できるような機構をミラー固定板３０に設けても良い。
　　　【００６１】
　次に本実施形態における液晶ライトバルブ１６、２０、２４の側面図を図１２に、平面図を図１３に示す。７２はバス基板、７３はＴＦＴ基板、７４は対向基板７５はコネクタ、７６はブラックストライプ、７７は見切りである。ＴＦＴ基板７３、および対向基板７４は透明物質であるガラスを基材として作られている。ＴＦＴ基板７３上には、各画素のスイッチングをするためのトランジスタが構成されている。また、対向基板７４上には、ＴＦＴ基板７３上のトランジスタを光から保護するためのブラックストライプ７６が形成されている。ＴＦＴ基板７３における温度上昇は、このブラックストライプ７６による光の吸収、およびＴＦＴ基板７３、対向基板７４の基材による光の吸収が原因である。したがって、ブラックストライプ７６に、光の反射率が高い物質を用いることが好ましい。たとえば、アルミニウム、ニッケルなどである。これによって、液晶ライトバルブにおける温度上昇が防止できるため、牲能が良く、信頼性の高い液晶プロジェクタを得ることが可能となる。なお、対向基板７４上には見切り７７が形成してある。本例では、見切り７７を対向基板７４の縁いっぱいにとることで、ＴＦＴ基板７３上に形成されたトランジスタを光から保護するようにしている。
　　　【００６２】
　最後に、図１、および図２に示す本実施形態のプロジェクタの全体的な構成の特徴を述べる。本実施形態では、メタルハライドランプ１、上ライトガイド３４、下ライトガイド３１、およびそれらライトガイドに収納されるダイクロイックミラー群、投写レンズ３２をすべて、水平に配置している。また、液晶ライトバルブ等を冷却するためのファン３３を下ライトガイド３１の下方に配置し、ランプを冷却するためのファン４９をメタルハライドランプ１およびガラス板３、熱線カットフィルタ６の側面に配置している。このような構成によれば、装置の高さが小さく平面的となるため、デザイン的に優れたプロジェクタを得ることが可能となる。また、ビデオ機器、オーディオ機器と重ね置きができるので、設置に好都合である。さらに、平面的な形状であるため、上面からの熱の放射が効率的である。
　　　【００６３】
　なお、本実施形態のプロジェクタにおいて、下ライトガイド３１に投写レンズ３２を直接固定すれば、投写レンズ３２と各液晶パネルとの距離が正確に出せるため、各液晶パネルの画素合わせ調整も簡単にできるというメリットがある。
　　　【００６４】
　　【発明の効果】
　以上述べたように、本発明は、光源と、前記光源から出射された光のうち特定の偏光成分の光を吸収する第１の偏光選択素子と、前記第１の偏光選択素子を透過した光を変調するライトバルブと、前記ライトバルブから出射された光のうち特定の偏光成分の光を吸収する第２の偏光選択素子と、前記第２の偏光選択素子を透過した光を投写する投写手段とを備えたプロジェクタであって、前記第１の偏光選択素子は前記ライトバルブから離れた位置に設けられ、光透過性の固定板に貼り付けられてなることにより、第１の偏光選択素子の熱による変形を防止することができる。
　　　【００６５】
　この際、前記第１の偏光選択素子を前記固定板の前記ライトバルブ側の面に貼り付けるようにすれば、偏光選択素子を透過した偏光光は、固定板を通過することなく直接ライトバルブに入射するので、ライトバルブに入射する偏光光の偏光状態が変化するのを防ぐことができ、画質の高いプロジェクタを得ることが可能である。
　　　【００６６】
　さらに、前記固定板の前記ライトバルブとは反対側の面に反射防止コートを施すことにより、固定板の表面における光の反射を防ぎ、光の利用効率を高めることができるので、明るい画像を得ることが可能となる。
　　　【００６７】
　上記のプロジェクタにおいて、前記第１の偏光選択素子を光耐熱性の偏光板とし、第２の偏光選択素子を高コントラスト用の偏光板とすれば、熱による第１の偏光選択素子の変形を防ぐとともに、画質の高いプロジェクタを得ることが可能である。
　　　【００６８】
　上記のプロジェクタにおいて、前記固定板に貼り付けられた前記第１の偏光選択素子、前記ライトバルブ、前記第２の偏光選択素子は上下のライトガイド内に収納されている場合には、前記下ライトガイドの下方に前記第１の偏光選択素子、前記ライトバルブ、前記第２の傭光選択素子を冷却するファンを設け、前記下ライトガイドに、前記ファンからの冷却風を通す通風口を設けることにより、偏光選択素子やライトバルブの温度上昇を低減し、偏光選択素子やライトバルブの劣化を防止することが可能である。
　　　【００６９】
　また、この際、前記通風口を前記固定板および前記液晶ライトバルブの両面側に設ければ効率良く冷却を行うことが可能である。
　　　【００７０】
　さらに、前記上ライトガイドにも前記ファンからの冷却風を通す通風口を設ければ、さらなる冷却効率の向上が可能となる。
　　　【００７１】
　また、本発明は、光源と、前記光源から出射された光を赤・青・緑の色光に分離する色光分離手段と、それぞれの前記色光を変調する３つのライトバルブと、前記３つのライトバルブによってそれぞれ変調された色光を合成する色光合成手段と、前記色光合成手段によって合成された光を投写する投写手段とを備えたプロジェクタにも適用可能である。
　　　【００７２】
　この場合にも、ライトバルブの光入射面側に配置された偏光選択素子を固定板の前記ライトバルブ側の面に貼り付ければ、偏光選択素子を透過した偏光光は、固定板を通過することなく直接ライトバルブに入射するので、ライトバルブに入射する偏光光の偏光状態が変化するのを防ぐことができ、画質の高いプロジェクタを得ることが可能である。
　　　【００７３】
　さらに、赤色光、青色光を変調する前記ライトバルブの光入射面側に配置されている前記固定板には、前記ライトバルブと反対側の面に反射防止コートを施し、緑色光を変調する前記ライトバルブの光入射面側に配置されている前記固定板には反射防止コートを施さないようにすれば、緑色光の量が多い光源を採用した場合に色バランスの良い画像を得ることが可能となる。
【図面の簡単な説明】
　　【図１】　本発明のプロジェクタの一実施形態を示す平面図。
　　【図２】　本発明のプロジェクタの一実施形態を示す斜視図。
　　【図３】　従来の液晶プロジェクタの光源からガラス板までの構成の側面図。
　　【図４】　本発明のプロジェクタの一実施形態における、光源からガラス板までの構成の側面図。
　　【図５】　本発明のプロジェクタの実施例のうち．光源からガラス板までの構成の側面図。
　　【図６】　本発明のプロジェクタの実施例のうち、光源からガラス板までの構成の側面図。
　　【図７】　偏光の説明図。
　　【図８】　ダイクロイックミラーの特性図。
　　【図９】　本発明のプロジェクタの一実施形態における光分離系のミラー固定構造を示す斜視図。
　　【図１０】　本発明のプロジェクタの一実施形態における光合成系のミラー固定構造を示す斜視図。
　　【図１１】　本発明のプロジェクタの一実施形態における光源、パラボラ焦点の距離と明るさとの関係図。
　　【図１２】　本発明のプロジェクタの一実施形態における液晶ライトバルブの断面図。
　　【図１３】　本発明のプロジェクタの一実施形態における液晶ライトバルブの平面図。
　　【符号の説明】
　１，４４・・・メタルハライドランプ
　２，４５・・・反射板
　３，４６，４７，４８，５０・・・ガラス板
　４・・・ガラス板ケース
　５・・・放熱フィン
　６・・・熱線カットフィルタ
　７・・・緑色光反射ダイクロイックミラー
　８，１３，２７，３０，５２，６１・・・ミラー固定板
　９，１０・・・集光レンズ
　１１，２８・・・ミラー
　１２，２６・・・赤色光反射ダイクロイックミラー
　１４，１８，２２，・・・偏光板固定ガラス
　１５，１９，２３，４１，４２，４３・・・偏光板
　１６，２０，２４・・・液晶ライトバルブ
　１７，２１，２５，３９，４０・・・穴
　２９・・・黄色光反射ダイクロイックミラー
　３１・・・下ライトガイド
　３２・・・投写レンズ
　３３，４９，５１・・・ファン
　３４・・・上ライトガイド
　３５，３８・・・フォーカス調整ネジ
　３６・・・左右方向調整ネジ
　３７・・・上下方向調整ネジ　
　５３，６２・・・位置決め用ダボ
　５４，６３，６７・・・ネジ穴
　５５，６４・・・ダイクロイックミラー
　５６，５７，６５，６６・・・ミラー押さえ板
　５８・・・入射光線
　５９・・・反射光線
　６０・・・透過光線